(57)【特許請求の範囲】
【請求項１】
基材と、該基材の片面に設けられた透明な粘着剤層と、該粘着剤層の基材と反対側の面に積層された剥離体とを有し、前記基材が、粘着剤層に貼着される透明または半透明な擬似接着用支持体と、該擬似接着用支持体の粘着剤層と反対側の面に擬似接着用支持体から剥離可能にかつ再貼着不能に接着された擬似接着シートとを備える粘着シートであって、
基材および粘着剤層には、剥離体から剥離可能なラベル部とラベル部以外の非ラベル部とに分割する第１の切り込みが形成されており、
擬似接着シートは、不透明な表面用支持体と、該表面用支持体の擬似接着用支持体側の面に設けられた擬似接着樹脂層とを有し、
剥離体には、該剥離体を、粘着剤層から剥離可能な第１の剥離部と該第１の剥離部以外の第１の非剥離部とに分割する第２の切り込みが形成され、前記第１の剥離部が、該剥離体の前記ラベル部に重ならない部分の一部であり、
非ラベル部における擬似接着シートには、該擬似接着シートを、擬似接着用支持体から剥離可能な第２の剥離部と該第２の剥離部以外の第２の非剥離部とに分割する第３の切り込みが形成され、
第２の剥離部の少なくとも一部が、第１の非剥離部に重なる部分に含まれていないことを特徴とする粘着シート。
【請求項２】
第１の切り込みと第２の切り込みとは互いに重ならないように形成されている請求項１に記載の粘着シート。
【請求項３】
第２の切り込みと第３の切り込みとは互いに重ならないように形成されている請求項１または２に記載の粘着シート。
【発明の詳細な説明】
【技術分野】
【０００１】
本発明は、粘着シートに関するものであって、例えば、往復はがきにおいて、差出人が往信用はがきに記載した個人情報等の秘密情報を隠蔽可能で、受取人が返信用はがきに記載した秘密情報を隠蔽するための粘着ラベルを取り出せる粘着シート、チラシにおいて、「あたり」や「はずれ」等が隠蔽されたくじを作成でき、応募者が応募用はがきに記載した秘密情報を隠蔽するための粘着ラベルを取り出せる粘着シートに関する。
【背景技術】
【０００２】
近年、個人情報の保護が極めて重要になってきている。そのため、差出人が受取人に郵送するはがきに個人情報等の秘密情報を記載する場合には、折り畳まれ、秘密情報が記載された面と、その面に対向する面とが剥離可能に接着された情報隠蔽用はがきが用いられている（例えば、特許文献１参照）。
また、はがきの秘密情報が記載された面のみに、単層の隠蔽用の粘着ラベルを貼着して送付することも行われている。
【０００３】
また、受取人に対して、はがきに秘密情報を記載して返送することを求める場合には、隠蔽用の粘着ラベルを受取人側で取り出せる複合的な構造の粘着シートを用いることがある。例えば、図６１に示すような、第１の剥離体３１０に剥離可能に貼着された第１の粘着剤層３２０と、第１の粘着剤層３２０の第１の剥離体３１０と反対側の面に剥離不能に貼着された第２の剥離体３３０と、第２の剥離体３３０の第１の粘着剤層３２０と反対側の面に設けられた隠蔽用ラベル３４０とを有し、隠蔽用ラベル３４０が、第２の剥離体３３０に剥離可能に貼着された第２の粘着剤層３４１と、第２の粘着剤層３４１の第２の剥離体３３０と反対側の面に剥離不能に貼着された基材３４２とを備える粘着シート３００が用いられる（例えば、特許文献２参照）。
この粘着シート３００は、以下のようにして使用される。すなわち、まず、第１の剥離体３１０を第１の粘着剤層３２０から剥離して、第１の粘着剤層３２０と第２の剥離体３３０と隠蔽用ラベル３４０とからなる粘着シート本体３００ａを得る。差出人は、その粘着シート本体３００ａを、第１の粘着剤層３２０によりはがきに貼着し、受取人に郵送する。次いで、受取人は、受け取ったはがきに貼着された粘着シート本体３００ａの第２の剥離体３３０から隠蔽ラベル３４０を剥離する。そして、返信用のはがきに秘密情報を記入した後、隠蔽ラベル３４０を秘密情報の上に貼着し、差出人に返送する。このようして粘着シート３００を使用することにより、受取人が返信用はがきに記載した秘密情報を保護できる。
【０００４】
一方、差出人と受取人の双方が秘密情報を相手方に伝えるためには、通常、秘密情報を記載した書面を返信用はがきと受取人が記載した秘密情報を隠蔽するための粘着ラベルとを同封した封書が用いられる。
【特許文献１】特開平１１−０４８３９１号公報
【特許文献２】特開平７−２７６８５６号公報
【発明の開示】
【発明が解決しようとする課題】
【０００５】
しかしながら、封書は郵送コストが高くなるという問題を有していた。そこで、差出人と受取人の双方が秘密情報を伝達しあう場合に、往復はがきを使用することが考えられる。しかし、その場合には、差出人側の秘密情報を隠蔽するための単層の粘着ラベルと、受取人側で秘密情報を隠蔽するための特許文献２に記載されているような粘着ラベルの２種類が必要であるため、現実的ではない。
また、特許文献２に記載のラベルは層の数が多いため、高コストであるという問題も有していた。
【０００６】
また、入会や商品プレゼント等の応募用のチラシに、「あたり」や「はずれ」等の表示がラベルにより隠蔽されたくじを付けることがある。くじを作成するためには、例えば、一方の面に表示用支持体と、該表示用支持体の一方の面に再貼着不能に貼着された表面用支持体と、表示用支持体の他方の面に設けられた粘着剤層とを有する粘着シートが使用される。この粘着シートをチラシに印字した「あたり」や「はずれ」等の表示の上に貼着することによって、くじを作成する。
また、応募用のチラシにおいては、秘密情報保護の観点から、応募者が応募用はがきに記載した秘密情報を隠蔽するための粘着ラベルを取り付けておくことがある。チラシに隠蔽用の粘着ラベルを取り付けるためには、例えば、上記特許文献２に記載の粘着シートが用いられる。
しかし、２種類の粘着シートをチラシに貼着することは簡便ではないし、特許文献２に記載のラベルは高コストである。
【０００７】
そこで、本発明は、往復はがきに使用した場合には差出人と受取人の双方が記載する秘密情報を隠蔽可能で、応募用のチラシに使用した場合にはくじを容易に作成できかつ隠蔽用の粘着ラベルを取り付けることができ、しかも低コストの粘着シートを提供することを目的とする。
【課題を解決するための手段】
【０００８】
本発明は、以下の態様を包含する。
［１］  基材と、該基材の片面に設けられた透明な粘着剤層と、該粘着剤層の基材と反対側の面に積層された剥離体とを有し、前記基材が、粘着剤層に貼着される透明または半透明な擬似接着用支持体と、該擬似接着用支持体の粘着剤層と反対側の面に擬似接着用支持体から剥離可能にかつ再貼着不能に接着された擬似接着シートとを備える粘着シートであって、
基材および粘着剤層には、剥離体から剥離可能なラベル部とラベル部以外の非ラベル部とに分割する第１の切り込みが形成されており、
擬似接着シートは、不透明な表面用支持体と、該表面用支持体の擬似接着用支持体側の面に設けられた擬似接着樹脂層とを有し、
剥離体には、該剥離体を、粘着剤層から剥離可能な第１の剥離部と該第１の剥離部以外の第１の非剥離部とに分割する第２の切り込みが形成され、前記第１の剥離部が、該剥離体の前記ラベル部に重ならない部分の一部であり、
非ラベル部における擬似接着シートには、該擬似接着シートを、擬似接着用支持体から剥離可能な第２の剥離部と該第２の剥離部以外の第２の非剥離部とに分割する第３の切り込みが形成され、
第２の剥離部の少なくとも一部が、第１の非剥離部に重なる部分に含まれていないことを特徴とする粘着シート。
［２］  第１の切り込みと第２の切り込みとは互いに重ならないように形成されている［１］に記載の粘着シート。
［３］  第１の切り込みと第２の切り込みとは互いに重ならないように形成されている［１］または［２］に記載の粘着シート。
【発明の効果】
【０００９】
本発明の粘着シートは、往復はがきに使用した場合には、差出人が往信用はがきに記載した秘密情報を隠蔽可能であり、かつ、受取人が返信用はがきに記載した秘密情報を隠蔽する隠蔽用の粘着ラベルを取り出せることができる。また、応募用のチラシに使用した場合には、くじを容易に作成でき、かつ、隠蔽用の粘着ラベルをチラシに取り付けることができる。しかも本発明の粘着シートは、低コストである。
【発明を実施するための最良の形態】
【００１０】
＜第１の実施形態＞
本発明の粘着シートの第１の実施形態について説明する。
（粘着シート）
図１および図２に、本実施形態の粘着シートを示す。この粘着シート１は、基材１０と、基材１０の片面に設けられた粘着剤層２０と、粘着剤層２０の基材１０と反対側の面に積層された剥離体３０とを有する矩形状のシートである。
【００１１】
本実施形態の粘着シート１における基材１０および粘着剤層２０には、基材１０および粘着剤層２０の一部を略矩形状に輪郭付ける第１の切り込みＣ１１１，Ｃ１１２，Ｃ１１３，Ｃ１１４が形成されている。この第１の切り込みＣ１１１，Ｃ１１２，Ｃ１１３，Ｃ１１４によって、基材１０および粘着剤層２０は、剥離体３０から剥離可能な略矩形状のラベル部α１と、ラベル部α１以外の非ラベル部β１とに分割されている。本実施形態では、ラベル部α１は粘着シート１の長手方向の中央より片側Ｋ１に位置している。
また、本実施形態における剥離体３０のラベル部α１に重ならない部分３０ａには、第１の切り込みＣ１１１，Ｃ１１２，Ｃ１１３，Ｃ１１４に平行に、かつ、重ならず、剥離体３０の一部を略矩形状に輪郭付ける第２の切り込みＣ２１１，Ｃ２１２，Ｃ２１３，Ｃ２１４が形成されている。この第２の切り込みＣ２１１，Ｃ２１２，Ｃ２１３，Ｃ２１４によって、剥離体３０は、粘着剤層２０から剥離可能な略矩形状の第１の剥離部３１と第１の剥離部３１以外の第１の非剥離部３２とに分割されている。また、第１の非剥離部３２が、ラベル部α１に重なる部分３０ｂを含むようになっている。本実施形態では、第１の非剥離部３２も粘着シート１の長手方向の中央より片側Ｋ１に位置している。
【００１２】
［基材］
基材１０は、粘着剤層２０に貼着される擬似接着用支持体１１と、擬似接着用支持体１１の粘着剤層２０と反対側の面に剥離可能にかつ再貼着不能に接着された擬似接着シート１２とを有する。
非ラベル部β１における擬似接着シート１２には、擬似接着シート１２を、一端Ｐから他端Ｑまで横方向に（図１における左右方向に）切り込んだ第３の切り込みＣ３１１が形成されている。この第３の切り込みＣ３１１によって、擬似接着シート１２には、擬似接着用支持体１１から剥離可能な第２の剥離部１２ａと第２の剥離部１２ａ以外の第２の非剥離部１２ｂとに分割されている。本実施形態では、第２の剥離部１２ａが、粘着シート１の長手方向の中央より他方の片側Ｋ２に位置している。また、第２の剥離部１２ａの全部が、第１の非剥離部３２に重なる部分Ｍ１に含まれないようになっており、第２の切り込みＣ２１１，Ｃ２１２，Ｃ２１３，Ｃ２１４と第３の切り込みＣ３１１が重ならないようになっている。
【００１３】
擬似接着用支持体１１としては、例えば、透明または半透明の紙類、フィルム類等が用いられる。擬似接着用支持体１１の中でも透明フィルムが好ましい。擬似接着用支持体１１が透明フィルムであれば、擬似接着用支持体１１を通して個人情報を見る際に、個人情報の視認性が高くなる。
透明フィルムとしては、例えば、ポリエチレンテレフタレート（ＰＥＴ）、ポリエチレン（ＰＥ）、ポリプロピレン（ＰＥ）等の透明樹脂フィルムなどが挙げられる。
擬似接着用支持体１１の厚さは１５〜２００μｍであることが好ましい。擬似接着用支持体１１の厚さが１５μｍ以上であれば、擬似接着用支持体１１自体の強度を確保でき、２００μｍ以下であれば、ラベル部α１を薄くして可撓性を高めることができる。
【００１４】
擬似接着シート１２は、表面用支持体１２ｃと、表面用支持体１２ｃの擬似接着用支持体１１側の面に設けられた擬似接着樹脂層１２ｄとを有する。
表面用支持体１２ｃとしては、例えば、紙類、フィルム類等を適宜使用できる。紙類としては、キャストコート紙、アート紙、コート紙、上質紙等の紙類、ポリプロピレン、ポリエチレン、ポリエチレンテレフタレートやポリブチレンテレフタレート等のポリエステル、ポリ塩化ビニル等の各種高分子フィルム、蒸着紙、合成紙、布、不織布、金属ホイル等から適宜選択される。さらに、これらの積層体を使用することもできる。
これらの中でも、表面用支持体１２ｃとしては、表面に容易に印刷できることから、紙類、合成紙が好ましい。
また、ラベル部α１を個人情報の隠蔽用のラベルとして用いた際の隠蔽性に優れることから、表面用支持体１２ｃとしては不透明なものを用いることが好ましい。不透明な表面用支持体１２ｃとしては、例えば、不透明な材質で構成された支持体、不透明なインキが少なくとも一方の面に印刷または塗工された支持体などが挙げられる。
【００１５】
擬似接着樹脂層１２ｄを構成する成分としては、例えば、ポリエチレン、ポリプロピレン、ポリブテン等のポリオレフィンや、ポリ塩化ビニル、ポリ塩化ビニリデン、ポリエステルなどの軟質熱可塑性樹脂が挙げられる。
擬似接着樹脂層１２ｄの厚さは５〜５０μｍであることが好ましい。擬似接着樹脂層１２ｄの厚さが５μｍ以上であれば、充分に擬似接着用支持体１１を剥離可能に接着でき、５０μｍ以下であれば、容易に擬似接着樹脂層１２ｄを形成できる。
【００１６】
［粘着剤層］
粘着剤層２０としては、例えば、ゴム系、アクリル系、ウレタン系、ビニルエーテル系等の任意の粘着剤を使用できる。これらの中でも、耐候性、透明性等に優れ、広範な用途に使用できることから、アクリル系粘着剤が好ましく、アクリル系粘着剤としては、エマルジョン型、溶剤型、ホットメルト型等があり、本発明においては、いずれの型のものも使用できる。これらの中でも、安全面、品質面、コスト面からエマルジョン型アクリル系粘着剤が好ましい。
さらに、粘着剤層２０は、必要に応じて他の任意成分を含有してもよい。他の任意成分としては、タッキファイヤー、粘着性微球体、増粘剤、ｐＨ調整剤、消泡剤、防腐防黴剤、顔料、無機充填剤、安定剤、濡れ剤、湿潤剤等が挙げられる。タッキファイヤーとしては、ロジン系樹脂、テルペン系樹脂、脂肪族系石油樹脂、芳香族系石油樹脂、水添石油樹脂、スチレン系樹脂、アルキルフェノール樹脂等が挙げられる。
粘着剤層２０の厚さは１０〜１００μｍであることが好ましい。粘着剤層２０が１０μｍ以上であれば、充分な接着強度の粘着剤層２０になる。しかし、１００μｍより高くしても、厚さに応じた接着強度の向上は図れないため、無益になる。
【００１７】
［剥離体］
剥離体３０としては、例えば、周知の剥離シートが使用される。周知の剥離シートとしては、例えば、キャストコート紙、アート紙、コート紙、上質紙、クラフト紙、グラシン紙等の紙の表面に、必要に応じて目止め層を形成した上で、シリコーン系等の剥離剤を塗布した剥離シートなどが挙げられる。
【００１８】
（使用方法）
上記粘着シート１の使用方法の一例について説明する。
本例は、上記粘着シート１を、往復はがきに貼着して用いる例である。
本例では、まず、粘着シート１の第１の剥離部３１を剥離し、図３に示すように、粘着剤層２０の貼着部２０ａを露出させる。以下、第１の剥離部３１を剥離した、第１の非剥離部３２と粘着剤層２０と基材１０とからなる粘着シートのことを粘着シート本体１ｂという。
次いで、図４および図５に示すように、露出させた粘着剤層２０の貼着部２０ａにより、粘着シート本体１ｂを、第１の個人情報１１０が記載された往復はがき１００の往信用はがき１００ａに、第１の個人情報１１０の上に第２の剥離部１２ａが位置するように貼着して、受取人に郵送する。
次いで、往復はがき１００を受け取った受取人が、図６および図７に示すように、第２の剥離部１２ａを擬似接着用支持体１１から剥離して、第１の個人情報１１０を読み取る。次いで、返信用はがき１００ｂに住所、氏名、電話番号、職業等の第２の個人情報を記入し、返信用はがき１００ｂを往信用はがき１００ａから切り取る。
次いで、図８に示すように、往信用はがき１００ａに貼着された粘着シート本体１ｂからラベル部α１を剥離し、図９および図１０に示すように、そのラベル部α１を第２の個人情報１２０が隠れるように粘着剤層２０により返信用はがき１００ｂに貼着して、差出人に返送する。
返信用はがき１００ｂを受け取った差出人は、図１１および図１２に示すように、擬似接着シート１２を擬似接着用支持体１１から剥離して、返信用はがき１００ｂに記入された第２の個人情報１２０を、粘着剤層２０および擬似接着用支持体１１を通して読み取る。
以上のようにして、粘着シート１を使用する。
【００１９】
（製造方法）
粘着シート１の製造方法の一例について図１３〜図１５を用いて説明する。
例えば、まず、表面用支持体１２ｃの片面に、擬似接着樹脂層１２ｄを形成する樹脂を溶融させた溶融樹脂を積層して擬似接着樹脂層１２ｄを形成し、その擬似接着樹脂層１２ｄが冷却固化する前に、擬似接着用支持体１１を貼り合わせる。その後、擬似接着樹脂層１２ｄを冷却固化して擬似接着用支持体１１と擬似接着樹脂層１２ｄとを擬似接着して、基材１０を得る。
次いで、剥離体３０の剥離面上に粘着剤を塗布して粘着剤層２０を形成し、その粘着剤層２０を介して、剥離体３０に基材１０を貼り合わせる。これにより、基材１０と粘着剤層２０と剥離体３０とを有する積層体を得る。
次いで、図１３に示すように、基材１０側から、積層体１ａの長手方向の中央の片側の基材１０および粘着剤層２０に、第１の切り込みＣ１１１，Ｃ１１２，Ｃ１１３，Ｃ１１４を形成するための切り刃５１を剥離体３０に達するまで進入させて、ラベル部α１および非ラベル部β１を形成する。
また、図１４に示すように、剥離体３０側から、剥離体３０のラベル部α１に重ならない部分３０ａに、第２の切り込みＣ２１１，Ｃ２１２，Ｃ２１３，Ｃ２１４を形成するための切り刃５２を、粘着剤層２０に達するまで進入させる。ここで、切り刃５２は、第１の切り込みＣ１１１，Ｃ１１２，Ｃ１１３，Ｃ１１４に平行に配置する。また、切り刃５２によって輪郭付けられる部分が、ラベル部α１に重なる部分を含むようにする。このように剥離体３０を切り込んで、第１の剥離部３１および第１の非剥離部３２を形成する。
また、図１５に示すように、非ラベル部β１における擬似接着シート１２に、第３の切り込みＣ３１１を形成するための切り刃５３を、粘着剤層２０に達するまで進入させる。ここで、切り刃５３は、擬似接着シート１２を一端Ｐから他端Ｑまで横方向に切り込むように、かつ、第３の切り込みＣ３１１が第１の非剥離部３２に重なる部分Ｍ１に含まれないように配置する。この第３の切り込みＣ３１１によって、擬似接着シート１２を、第２の剥離部１２ａと第２の非剥離部１２ｂとに分割する。
これにより、図１に示す粘着シート１を得る。
【００２０】
上述した粘着シート１は、第１の剥離部３１を剥離することによって露出する粘着剤層２０の貼着部２０ａにより、往復はがきに貼着可能になっており、しかも第１の剥離部３１を剥離した後に第１の非剥離部３２からラベル部α１を剥離できるようになっている。
また、往信用はがき１００ａに記載された個人情報１１０の上に第２の剥離部１２ａが位置するように粘着シート本体１ｂを貼着した後、第２の剥離部１２ａを剥離することにより、粘着剤層２０および擬似接着用支持体１１を通して個人情報１１０を視認できるようになる。
したがって、この粘着シート１は、差出人が往信用はがき１００ａに記載した個人情報１１０を隠蔽可能であり、かつ、受取人が返信用はがき１００ｂに記載した個人情報１２０を隠蔽する隠蔽用の粘着性のラベル部α１を取り出せることができる。
また、この粘着シート１は層の数が少なくて済むため、低コストである。
【００２１】
＜第２の実施形態＞
本発明の粘着シートの第２の実施形態について説明する。
図１６および図２に、本実施形態の粘着シートを示す。この粘着シート２は、基材１０と、基材１０の片面に設けられた粘着剤層２０と、粘着剤層２０の基材１０と反対側の面に積層された剥離体３０とを有する矩形状のシートである。本実施形態における基材１０、粘着剤層２０および剥離体３０は、第１の実施形態における基材１０、粘着剤層２０および剥離体３０と同様のものが使用される。
本実施形態の粘着シート２における基材１０および粘着剤層２０には、基材１０および粘着剤層２０を、一端Ｐから他端Ｑまで横方向に（図１６における左右方向に）切り込んだ第１の切り込みＣ１２１，Ｃ１２２が２本形成されている。この第１の切り込みＣ１２１，Ｃ１２２によって、基材１０および粘着剤層２０は、第１の切り込みＣ１２１，Ｃ１２２の間に配置され、剥離体３０から剥離可能な矩形状のラベル部α２と、ラベル部α２以外の非ラベル部β２とに分割されている。本実施形態では、ラベル部α２は粘着シート２の長手方向の中央より片側Ｋ１に位置している。
また、本実施形態における剥離体３０のラベル部α２に重ならない部分３０ｃには、第１の切り込みＣ１２１，Ｃ１２２に平行に、かつ、重ならず、剥離体３０を一端Ｐから他端Ｑまで横方向に切り込んだ第２の切り込みＣ２２１，Ｃ２２２が２本形成されている。この第２の切り込みＣ２２１，Ｃ２２２によって、剥離体３０が、粘着剤層２０から剥離可能な矩形状の第１の剥離部３３と第１の剥離部３３以外の第１の非剥離部３４とに分割されている。第１の非剥離部３４は、ラベル部α２に重なる部分３０ｄを含むようになっている。
また、本実施形態では、第１の実施形態と同様に、擬似接着シート１２に、一端Ｐから他端Ｑまで横方向に切り込んだ第３の切り込みＣ３１１が形成されて、擬似接着用支持体１１から剥離可能な第２の剥離部１２ａと第２の剥離部１２ａ以外の第２の非剥離部１２ｂとに分割されている。本実施形態においても、第２の剥離部１２ａが、粘着シート２の長手方向の中央より他方の片側Ｋ２に位置し、また、第２の剥離部１２ａの全部が、第１の非剥離部３４に重なる部分Ｍ２に含まれないようになっており、第２の切り込みＣ２２１，Ｃ２２２と第３の切り込みＣ３１１が重ならないようになっている。
【００２２】
（使用方法）
上記粘着シート２の使用方法の一例について説明する。
本例は、上記粘着シート２を、往復はがきに貼着して用いる例である。
本例では、まず、粘着シート２の第１の剥離部３３を剥離し、図３に示すように、粘着剤層２０の貼着部２０ｂを露出させる。以下、第１の剥離部３３を剥離した、第１の非剥離部３４と粘着剤層２０と基材１０とからなる粘着シートのことを粘着シート本体２ｂという。
次いで、図１７および図５に示すように、露出させた粘着剤層２０の貼着部２０ｂにより、粘着シート本体２ｂを、第１の個人情報１１０が記載された往復はがきの往信用はがき１００ａに、第１の個人情報１１０の上に第２の剥離部１２ａが位置するように貼着して、受取人に郵送する。
次いで、往復はがき１００を受け取った受取人が、図１８および図７に示すように、第２の剥離部１２ａを擬似接着用支持体１１から剥離して、第１の個人情報１１０を読み取る。次いで、返信用はがき１００ｂに第２の個人情報を記入し、返信用はがき１００ｂを往信用はがき１００ａから切り取る。
次いで、図８に示すように、往信用はがき１００ａに貼着された粘着シート本体２ｂからラベル部α２を剥離し、図１９および図１０に示すように、そのラベル部α２を第２の個人情報１２０が隠れるように粘着剤層２０により返信用はがき１００ｂに貼着して、差出人に返送する。
返信用はがき１００ｂを受け取った差出人は、図２０および図１１に示すように、擬似接着シート１２を擬似接着用支持体１１から剥離して、返信用はがき１００ｂに記入された第２の個人情報１２０を、粘着剤層２０および擬似接着用支持体１１を通して読み取る。
以上のようにして、粘着シート２を使用する。
【００２３】
（製造方法）
粘着シート２の製造方法の一例について説明する。
まず、第１の実施形態と同様にして、基材１０と粘着剤層２０と剥離体３０とを有する積層体を得る。
次いで、基材１０側から、積層体の長手方向の中央の片側の基材１０および粘着剤層２０に、一端Ｐから他端Ｑまで横方向に第１の切り込みＣ１２１，Ｃ１２２を形成するための切り刃を剥離体３０に達するまで進入させて、ラベル部α２および非ラベル部β２を形成する。
また、剥離体３０側から、剥離体３０のラベル部α２に重ならない部分３０ｃに、第２の切り込みＣ２２１，Ｃ２２２を形成するための切り刃を、粘着剤層２０に達するまで進入させる。ここで、切り刃は、第１の切り込みＣ１２１，Ｃ１２２に平行に、剥離体３０を一端Ｐから他端Ｑまで横方向に切り込むように配置する。このように剥離体３０を切り込むことにより、第１の剥離部３３および第１の非剥離部３４を形成する。
また、第１の実施形態と同様にして、第３の切り込みＣ３１１を形成し、擬似接着シート１２を第２の剥離部１２ａと第２の非剥離部１２ｂとに分割する。
これにより、図１６に示す粘着シート２を得る。
【００２４】
上述した粘着シート２は、第１の剥離部３３を剥離することによって露出する粘着剤層２０の貼着部２０ｂにより、往復はがきに貼着可能になっており、しかも第１の剥離部３３を剥離した後に第１の非剥離部３４からラベル部α２を剥離できるようになっている。
また、往信用はがき１００ａに記載された個人情報１１０の上に第２の剥離部１２ａが位置するように粘着シート本体２ｂを貼着した後、第２の剥離部１２ａを剥離することにより、粘着剤層２０および擬似接着用支持体１１を通して個人情報１１０を視認できるようになる。
したがって、この粘着シート２は、差出人が往信用はがき１００ａに記載した個人情報１１０を隠蔽可能であり、かつ、受取人が返信用はがき１００ｂに記載した個人情報１２０を隠蔽する隠蔽用の粘着性のラベル部α２を取り出せることができる。
また、この粘着シート２は層の数が少なくて済むため、低コストである。
【００２５】
＜第３の実施形態＞
本発明の粘着シートの第３の実施形態について説明する。
図２１および図２２に、本実施形態の粘着シートを示す。この粘着シート３は、基材１０と、基材１０の片面に設けられた粘着剤層２０と、粘着剤層２０の基材１０と反対側の面に積層された剥離体３０とを有する矩形状のシートである。本実施形態における基材１０、粘着剤層２０および剥離体３０は、第１の実施形態における基材１０、粘着剤層２０および剥離体３０と同様のものが使用される。
本実施形態の粘着シート３における基材１０および粘着剤層２０には、基材１０および粘着剤層２０を、一端Ｐから他端Ｑまで横方向に切り込んだ第１の切り込みＣ１３１が１本形成されている。この第１の切り込みＣ１３１によって、基材１０および粘着剤層２０は、第１の切り込みＣ１３１の片側（図２１における第１の切り込みＣ１３１の下側）の、剥離体３０から剥離可能な矩形状のラベル部α３と、ラベル部α３以外の非ラベル部β３とに分割されている。本実施形態では、ラベル部α３は粘着シート３の長手方向の中央より片側Ｋ１に位置している。
また、本実施形態における剥離体３０のラベル部α３に重ならない部分３０ｅには、第１の切り込みＣ１３１に平行に、かつ、重ならず、剥離体３０を一端Ｐから他端Ｑまで横方向に切り込んだ第２の切り込みＣ２３１が１本形成されている。この第２の切り込みＣ２３１によって、剥離体３０が、粘着剤層２０から剥離可能な矩形状の第１の剥離部３５と第１の剥離部３５以外の第１の非剥離部３６とに分割されている。第１の非剥離部３６は、ラベル部α３に重なる部分３０ｆを含むようになっている。
また、本実施形態では、第１の実施形態と同様に、擬似接着シート１２に、一端Ｐから他端Ｑまで横方向に切り込んだ第３の切り込みＣ３１１が形成されて、擬似接着用支持体１１から剥離可能な第２の剥離部１２ａと第２の剥離部１２ａ以外の第２の非剥離部１２ｂとに分割されている。本実施形態においても、第２の剥離部１２ａが、粘着シート３の長手方向の中央より他方の片側Ｋ２に位置し、また、第２の剥離部１２ａの全部が、第１の非剥離部３６に重なる部分Ｍ３に含まれないようになっており、第２の切り込みＣ２３１と第３の切り込みＣ３１１が重ならないようになっている。
【００２６】
（使用方法）
上記粘着シート３の使用方法の一例について説明する。
本例は、上記粘着シート３を、往復はがきに貼着して用いる例である。
本例では、まず、粘着シート３の第１の剥離部３５を剥離し、図２３に示すように、粘着剤層２０の貼着部２０ｃを露出させる。以下、第１の剥離部３５を剥離した、第１の非剥離部３６と粘着剤層２０と基材１０とからなる粘着シートのことを粘着シート本体３ｂという。
次いで、図２４および図２５に示すように、露出させた粘着剤層２０の貼着部２０ｃにより、粘着シート本体３ｂを、第１の個人情報１１０が記載された往復はがき１００の往信用はがき１００ａに、第１の個人情報１１０の上に第２の剥離部１２ａが位置するように貼着して、受取人に郵送する。
次いで、往復はがき１００を受け取った受取人が、図２６および図２７に示すように、第２の剥離部１２ａを擬似接着用支持体１１から剥離して、第１の個人情報１１０を読み取る。次いで、返信用はがき１００ｂに第２の個人情報を記入し、返信用はがき１００ｂを往信用はがき１００ａから切り取る。
次いで、図２８に示すように、往信用はがき１００ａに貼着された粘着シート本体３ｂからラベル部α３を剥離し、図２９および図３０に示すように、そのラベル部α３を第２の個人情報１２０が隠れるように粘着剤層２０により返信用はがき１００ｂに貼着して、差出人に返送する。
返信用はがきを受け取った差出人は、図３１および図３２に示すように、擬似接着シート１２を擬似接着用支持体１１から剥離して、返信用はがき１００ｂに記入された第２の個人情報１２０を、粘着剤層２０および擬似接着用支持体１１を通して読み取る。
以上のようにして、粘着シート３を使用する。
ただし、粘着シート３を貼着部２０ｃによって往信用はがき１００ａに貼着した状態では、第１の非剥離部３６を有するために、粘着シート本体３ｂのラベル部α３側の端部が往信用はがき１００ａに貼着されていない。そのため、往復はがき郵送時に粘着シート本体３ｂが剥がれてしまうおそれがある。
なお、粘着シート３は、後述するように、応募用チラシに貼着する場合には問題なく使用できる。
【００２７】
（製造方法）
粘着シート３の製造方法の一例について説明する。
まず、第１の実施形態と同様にして、基材１０と粘着剤層２０と剥離体３０とを有する積層体を得る。
次いで、基材１０側から、基材１０および粘着剤層２０に、一端Ｐから他端Ｑまで横方向に第１の切り込みＣ１３１を形成するための切り刃を剥離体３０に達するまで進入させて、ラベル部α３および非ラベル部β３を形成する。
また、剥離体３０側から、剥離体３０のラベル部α３に重ならない部分３０ｅに、第２の切り込みＣ２３１を形成するための切り刃を、粘着剤層２０に達するまで進入させる。ここで、切り刃は、第１の切り込みＣ１３１に平行に、剥離体３０を一端Ｐから他端Ｑまで横方向に切り込むように配置する。このように剥離体３０を切り込むことにより、第１の剥離部３５および第１の非剥離部３６を形成する。
また、第１の実施形態と同様にして、第３の切り込みＣ３１１を形成し、擬似接着シート１２を第２の剥離部１２ａと第２の非剥離部１２ｂとに分割する。
これにより、図２１に示す粘着シート３を得る。
【００２８】
上述した粘着シート３は、第１の剥離部３５を剥離することによって露出する粘着剤層２０の貼着部２０ｃにより、往復はがきに貼着可能になっており、しかも第１の剥離部３５を剥離した後に第１の非剥離部３６からラベル部α３を剥離できるようになっている。
また、往信用はがき１００ａに記載された個人情報１１０の上に第２の剥離部１２ａが位置するように粘着シート本体３ｂを貼着した後、第２の剥離部１２ａを剥離することにより、粘着剤層２０および擬似接着用支持体１１を通して個人情報１１０を視認できるようになる。
したがって、この粘着シート３は、差出人が往信用はがき１００ａに記載した個人情報１１０を隠蔽可能であり、かつ、受取人が返信用はがき１００ｂに記載した個人情報１２０を隠蔽する隠蔽用の粘着性のラベル部α３を取り出せることができる。
また、この粘着シート３は層の数が少なくて済むため、低コストである。
【００２９】
＜第４の実施形態＞
本発明の粘着シートの第４の実施形態について説明する。
図３３および図３４に、本実施形態の粘着シートを示す。この粘着シート４は、基材１０と、基材１０の片面に設けられた粘着剤層２０と、粘着剤層２０の基材１０と反対側の面に積層された剥離体３０とを有する矩形状のシートである。本実施形態における基材１０、粘着剤層２０および剥離体３０は、第１の実施形態における基材１０、粘着剤層２０および剥離体３０と同様のものが使用される。
本実施形態の粘着シート４における基材１０および粘着剤層２０は、第１の実施形態の粘着シート１と同様に、第１の切り込みＣ１１１，Ｃ１１２，Ｃ１１３，Ｃ１１４によって、剥離体３０から剥離可能な略矩形状のラベル部α１と、ラベル部α１以外の非ラベル部β１とに分割されている。本実施形態においても、ラベル部α１は粘着シート４の長手方向の中央より片側Ｋ１に位置している。
また、本実施形態では、剥離体３０のラベル部α１に重ならない部分３０ａの、粘着シート４の長手方向の中央より片側Ｋ１（ラベル部α１が配置されている側）の隅角部Ａ１，Ａ２の近傍には、第１の切り込みＣ１１２，Ｃ１１３，Ｃ１１４に重ならない第２の切り込みＣ２４１，Ｃ２４２が形成されている。
また、本実施形態では、剥離体３０のラベル部α１に重ならない部分３０ａの、第１の切り込みＣ１１１の近傍には、一端Ｐから他端Ｑまで横方向に切り込んだ第２の切り込みＣ２４３が形成されている。
この第２の切り込みＣ２４１，Ｃ２４２，Ｃ２４３によって、剥離体３０が、粘着剤層２０から剥離可能な扇形状の第１の剥離部３７ａおよび矩形状の第１の剥離部３７ｂと、第１の剥離部３７ａ，３７ｂ以外の第１の非剥離部３８とに分割されている。第１の非剥離部３８は、ラベル部α１に重なる部分３０ｂを含むようになっている。
また、本実施形態では、第１の実施形態と同様に、擬似接着シート１２に、一端Ｐから他端Ｑまで横方向に切り込んだ第３の切り込みＣ３１１が形成されて、擬似接着用支持体１１から剥離可能な第２の剥離部１２ａと第２の剥離部１２ａ以外の第２の非剥離部１２ｂとに分割されている。本実施形態においても、第２の剥離部１２ａが、粘着シート４の長手方向の中央より他方の片側Ｋ２に位置し、また、第２の剥離部１２ａの全部が、第１の非剥離部３８に重なる部分Ｍ４に含まれないようになっており、第２の切り込みＣ２４１，Ｃ２４２，Ｃ２４３と第３の切り込みＣ３１１が重ならないようになっている。
【００３０】
（使用方法）
上記粘着シート４の使用方法の一例について説明する。
本例は、上記粘着シート４を、往復はがきに貼着して用いる例である。
本例では、まず、粘着シート４の第１の剥離部３７ａ，３７ｂを剥離し、図３５に示すように、粘着剤層２０の貼着部２０ｄを露出させる。以下、第１の剥離部３７ａ，３７ｂを剥離した、第１の非剥離部３８と粘着剤層２０と基材１０とからなる粘着シートのことを粘着シート本体４ｂという。
次いで、図３６および図３７に示すように、露出させた粘着剤層２０の貼着部２０ｄにより、粘着シート本体４ｂを、第１の個人情報１１０が記載された往復はがきの往信用はがき１００ａに、第１の個人情報１１０の上に第２の剥離部１２ａが位置するように貼着して、受取人に郵送する。
次いで、往復はがきシート１００を受け取った受取人が、図３８および図３９に示すように、第２の剥離部１２ａを擬似接着用支持体１１から剥離して、第１の個人情報１１０を読み取る。次いで、返信用はがき１００ｂに第２の個人情報を記入し、返信用はがき１００ｂを往信用はがき１００ａから切り取る。
次いで、図４０に示すように、往信用はがき１００ａに貼着された粘着シート本体４ｂからラベル部α１を剥離し、図９および図１０に示すように、そのラベル部α１を第２の個人情報１２０が隠れるように粘着剤層２０により返信用はがき１００ｂに貼着して、差出人に返送する。
返信用はがき１００ｂを受け取った差出人は、図１１および図１２に示すように、擬似接着シート１２を擬似接着用支持体１１から剥離して、返信用はがき１００ｂに記入された第２の個人情報１２０を、粘着剤層２０および擬似接着用支持体１１を通して読み取る。
以上のようにして、粘着シート４を使用する。
【００３１】
（製造方法）
粘着シート４の製造方法の一例について説明する。
まず、第１の実施形態と同様にして、基材１０と粘着剤層２０と剥離体３０とを有する積層体を得た後、基材１０および粘着剤層２０を切り刃５１により切り込んでラベル部α１および非ラベル部β１を形成する。
また、剥離体３０側から、剥離体３０のラベル部α１に重ならない部分３０ａに、各隅角部Ａ１，Ａ２の近傍を円弧状に切り込む第２の切り込みＣ２４１，Ｃ２４２を形成するための切り刃を、粘着剤層２０に達するまで進入させる。ここで、切り刃は、第１の切り込みＣ１１２，Ｃ１１３，Ｃ１１４に重ならないように配置する。このように剥離体３０を切り込んで、第１の剥離部３７ａ，３７ｂおよび第１の非剥離部３８を形成する。
また、剥離体３０のラベル部α１に重ならない部分３０ａに、一端Ｐから他端Ｑまでを第１の切り込みＣ１１１と平行に切り込む第２の切り込みＣ２４３を形成するための切り刃を、粘着剤層２０に達するまで進入させる。
また、第１の実施形態と同様にして、第３の切り込みＣ３１１を形成し、擬似接着シート１２を第２の剥離部１２ａと第２の非剥離部１２ｂとに分割する。
これにより、図３３に示す粘着シート４を得る。
【００３２】
上述した粘着シート４は、第１の剥離部３７ａ，３７ｂを剥離することによって露出する粘着剤層２０の貼着部２０ｄにより、往復はがきに貼着可能になっており、しかも第１の剥離部３７ａ，３７ｂを剥離した後に第１の非剥離部３８からラベル部α１を剥離できるようになっている。
また、往信用はがき１００ａに記載された個人情報１１０の上に第２の剥離部１２ａが位置するように粘着シート本体４ｂを貼着した後、第２の剥離部１２ａを剥離することにより、粘着剤層２０および擬似接着用支持体１１を通して個人情報１１０を視認できるようになる。
したがって、この粘着シート４は、差出人が往信用はがき１００ａに記載した個人情報１１０を隠蔽可能であり、かつ、受取人が返信用はがき１００ｂに記載した個人情報１２０を隠蔽する隠蔽用の粘着性のラベル部α１を取り出せることができる。
また、この粘着シート４は層の数が少なくて済むため、低コストである。
【００３３】
＜第５の実施形態＞
本発明の粘着シートの第５の実施形態について説明する。
図４１および図４２に、本実施形態の粘着シートを示す。この粘着シート５は、基材１０と、基材１０の片面に設けられた粘着剤層２０と、粘着剤層２０の基材１０と反対側の面に積層された剥離体３０とを有する矩形状のシートである。本実施形態における基材１０、粘着剤層２０および剥離体３０は、第１の実施形態における基材１０、粘着剤層２０および剥離体３０と同様のものが使用される。
本実施形態の粘着シート５における基材１０および粘着剤層２０には、第１の実施形態の粘着シート１と同様に、第１の切り込みＣ１１１，Ｃ１１２，Ｃ１１３，Ｃ１１４によって、剥離体３０から剥離可能な略矩形状のラベル部α１と、ラベル部α１以外の非ラベル部β１とに分割されている。本実施形態においても、ラベル部α１は粘着シート４の長手方向の中央より片側Ｋ１に位置している。
また、本実施形態における剥離体３０のラベル部α１に重ならない部分３０ａには、第１の実施形態と同様に、第２の切り込みＣ２１１，Ｃ２１２，Ｃ２１３，Ｃ２１４によって、第１の剥離部３１と第１の非剥離部３２とに分割されている。
また、非ラベル部β１の擬似接着シート１２には、略矩形状に輪郭付ける第３の切り込みＣ３２１，Ｃ３２２，Ｃ３２３，Ｃ３２４が形成されている。この第３の切り込みＣ３２１，Ｃ３２２，Ｃ３２３，Ｃ３２４によって、非ラベル部β１における擬似接着シート１２は、擬似接着用支持体１１から剥離可能な略矩形状の第２の剥離部１２ｅと第２の非剥離部１２ｆとに分割されている。本実施形態では、第２の剥離部１２ｅは粘着シート５の長手方向の中央より他方の片側Ｋ２に位置している。また、第２の剥離部１２ｅの全部が、第１の非剥離部３２に重なる部分Ｍ１に含まれないようになっており、第２の切り込みＣ２１１，Ｃ２１２，Ｃ２１３，Ｃ２１４と第３の切り込みＣ３２１，Ｃ３２２，Ｃ３２３，Ｃ３２４が重ならないようになっている。
【００３４】
（使用方法）
上記粘着シート５の使用方法の一例について説明する。
本例は、上記粘着シート５を、往復はがきに貼着して用いる例である。
本例では、まず、粘着シート５の第１の剥離部３１を剥離し、図４３に示すように、粘着剤層２０の貼着部２０ａを露出させる。以下、第１の剥離部３１を剥離した、第１の非剥離部３２と粘着剤層２０と基材１０とからなる粘着シートのことを粘着シート本体５ｂという。
次いで、図４４および図４５に示すように、露出させた粘着剤層２０の貼着部２０ａにより、粘着シート本体５ｂを、第１の個人情報１１０が記載された往復はがき１００の往信用はがき１００ａに、第１の個人情報１１０の上に第２の剥離部１２ｅが位置するように貼着して、受取人に郵送する。
次いで、往復はがき１００を受け取った受取人が、図４６および図４７に示すように、第２の剥離部１２ｅを擬似接着用支持体１１から剥離して、第１の個人情報１１０を読み取り、返信用はがきに第２の個人情報を記入し、返信用はがき１００ｂを往信用はがき１００ａから切り取る。
次いで、図４８に示すように、往信用はがき１００ａに貼着された粘着シート本体５ｂからラベル部α１を剥離し、図９および図１０に示すように、そのラベル部α１を第２の個人情報１２０が隠れるように粘着剤層２０により返信用はがき１００ｂに貼着して、差出人に返送する。
返信用はがき１００ｂを受け取った差出人は、図１１および図１２に示すように、擬似接着シート１２を擬似接着用支持体１１から剥離して、返信用はがき１００ｂに記入された第２の個人情報１２０を、粘着剤層２０および擬似接着用支持体１１を通して読み取る。
以上のようにして、粘着シート５を使用する。
【００３５】
（製造方法）
粘着シート５の製造方法の一例について説明する。
まず、第１の実施形態と同様にして、基材１０と粘着剤層２０と剥離体３０とを有する積層体を得た後、基材１０および粘着剤層２０を切り刃５１により切り込んでラベル部α１および非ラベル部β１を形成する。また、第１の実施形態と同様にして、第１の剥離部３１および第１の非剥離部３２を形成する。
次いで、非ラベル部β１における擬似接着シート１２に、第３の切り込みＣ３２１，Ｃ３２２，Ｃ３２３，Ｃ３２４を形成するための切り刃を擬似接着用支持体１１に達するまで進入させる。このとき、第３の切り込みＣ３２１，Ｃ３２２，Ｃ３２３，Ｃ３２４が第１の非剥離部３２に重なる部分Ｍ１に含まれないように切り込む。これにより、第２の剥離部１２ｅおよび第２の非剥離部１２ｆを形成する。
これにより、図４１に示す粘着シート５を得る。
【００３６】
上述した粘着シート５は、第１の剥離部３１を剥離することによって露出する粘着剤層２０の貼着部２０ａにより、シート等の被着体に貼着可能になっており、しかも第１の剥離部３１を剥離した後に、第１の非剥離部３２からラベル部α１を剥離できるようになっている。
また、往信用はがき１００ａに記載された個人情報１１０の上に第２の剥離部１２ｅが位置するように粘着シート本体５ｂを貼着した後、第２の剥離部１２ｅを剥離することにより、粘着剤層２０および擬似接着用支持体１１を通して個人情報１１０を視認できるようになる。
したがって、この粘着シート５は、差出人が往信用はがき１００ａに記載した個人情報１１０を隠蔽可能であり、かつ、受取人が返信用はがき１００ｂに記載した個人情報１２０を隠蔽する隠蔽用の粘着性のラベル部α１を取り出せることができる。
また、この粘着シート５は層の数が少なくて済むため、低コストである。
【００３７】
上述した粘着シート５は、第１の剥離部３１を剥離することによって露出する粘着剤層２０の貼着部２０ａにより、往復はがきに貼着可能になっており、しかも第１の剥離部３１を剥離した後に第１の非剥離部３２からラベル部α１を剥離できるようになっている。
また、往信用はがき１００ａに記載された個人情報１１０の上に第２の剥離部１２ｅが位置するように粘着シート本体５ｂを貼着した後、第２の剥離部１２ｅを剥離することにより、粘着剤層２０および擬似接着用支持体１１を通して個人情報１１０を視認できるようになる。
したがって、この粘着シート５は、差出人が往信用はがき１００ａに記載した個人情報１１０を隠蔽可能で、受取人が返信用はがき１００ｂに記載した個人情報１２０を隠蔽する隠蔽用の粘着性のラベル部α１を備えている。
【００３８】
なお、本発明の粘着シートは、上記実施形態に限定されない。例えば、第１〜５の実施形態において、α１，α２，α３が粘着シート１〜５の長手方向の中央より片側Ｋ１に配置されていなくてもよく、例えば、粘着シート１の中央に配置されていてもよい。
また、第２の実施形態におけるラベル部α２を、図４９に示すように、第１の実施形態におけるラベル部α１と同様にしてもよい。また、第３の実施形態におけるラベル部α３を、図５０に示すように、第１の実施形態におけるラベル部α１と同様にしてもよい。
また、上記実施形態では、粘着シートおよびラベル部が矩形状あるいは略矩形状であったが、それ以外の形状、例えば、円形状、三角形状、正方形状等であっても構わない。
ラベル部は複数設けられていても構わない。ラベル部が複数設けられている場合、各々隣接していてもよいし、離間していてもよい。
また、上述した実施形態では、第１の切り込みと第２の切り込みとが、第２の切り込みと第３の切り込みとが互いに重なっていないが、一部が重なっていても構わない。ただし、重なっている部分は、できるだけ短いことが好ましい。
また、第２の剥離部１２ａ，１２ｅの一部が、第１の非剥離部３２，３４，３６，３８に重なる部分Ｍ１，Ｍ２，Ｍ３，Ｍ４に含まれていても構わない。ただし、その場合には、粘着シート１，２，３，４，５を往復はがき１００に貼着する際に、第２の剥離部１２ａ，１２ｅの、第１の非剥離部３２，３４，３６，３８に重ならない部分を、往信用はがき１００ａに記載した情報の上に配置させる。
【００３９】
また、上述した実施形態では、粘着シートを製造する際に、第１の切り込みと第２の切り込みと第３の切り込みとを別の工程で形成していたが、いずれか２つ以上を同時に形成してもよい。例えば、第１の切り込みと第３の切り込みとは、同じ面側から切り刃を進入させるから、切り刃の進入深さを調整して同時に形成してもよい。
【００４０】
また、上述した実施形態では、粘着シートを往復はがきに貼着して使用したが、応募用のチラシに貼着して使用してもよい。
以下に、粘着シートを応募用チラシに貼着して使用する例について、第３の実施形態の粘着シート３を例にとって説明する。
この例で用いる応募用チラシ２００は、図５１に示すように、矩形状であって、一部（図示例では、応募用チラシ２００の右下の部分）が応募はがきの領域２００ａ（以下、応募用はがき領域２００ａという。）になっており、応募用はがき領域２００ａに右隣に隣接する領域が粘着シート３を貼着する領域２００ｂ（以下、粘着シート貼着用領域２００ｂという。）になっている。また、粘着シート貼着用領域２００ｂの一部には、「あたり」または「はずれ」等のくじの表示２１０を印字しておく。図示例では「あたり」の表示を印字している。
本例では、まず、粘着シート３の第１の剥離部３５を剥離し、図２３に示すように、粘着剤層２０の貼着部２０ｃを露出させて、粘着シート本体３ｂを得る。
次いで、図５２および図５３に示すように、露出させた粘着剤層２０の貼着部２０ｃにより、粘着シート本体３ｂを、応募用チラシ２００の応募用はがき領域２００ａ粘着シート貼着用領域２００ｂに貼着する。その際、くじの表示２１０の上に第２の剥離部１２ａが位置するように粘着シート本体３ｂを貼着する。
次いで、応募用チラシ２００を受け取った者は、図５４および図５５に示すように、第２の剥離部１２ａを擬似接着用支持体１１から剥離して、くじの表示２１０を見る。また、応募用チラシ２００を見て応募する者は、応募用はがき領域２００ａに個人情報を記入し、応募用はがき領域２００ａを切り取って、応募用はがきを得る。
次いで、図５６に示すように、粘着シート貼着用領域２００ｂに貼着された粘着シート本体３ｂからラベル部α３を剥離し、図５７および図５８に示すように、そのラベル部α３を個人情報２２０が隠れるように粘着剤層２０により応募用はがき２００ｃに貼着して、募集者に郵送する。
応募用はがき２００ｃを受け取った募集者は、図５９および図６０に示すように、擬似接着シート１２を擬似接着用支持体１１から剥離して、応募用はがき２００ｃに記入された個人情報２２０を、粘着剤層２０および擬似接着用支持体１１を通して読み取る。
以上のようにして、粘着シート３を使用する。
このような使用方法は、第３の実施形態の粘着シート３に限らず、本発明の粘着シートであれば、いずれも適用できる。すなわち、本発明の粘着シートによれば、くじを容易に作成でき、かつ、隠蔽用の粘着ラベルをチラシに取り付けることができる。
【図面の簡単な説明】
【００４１】
【図１】本発明の粘着シートの第１の実施形態を示す上面図である。
【図２】図１のＩ−Ｉ’断面図、図１６のII−II’断面図である。
【図３】第１，２の実施形態の粘着シートの使用方法の一例を説明する断面図である。
【図４】第１の実施形態の粘着シートの使用方法の一例を説明する上面図である。
【図５】第１，２の実施形態の粘着シートの使用方法の一例を説明する断面図である。
【図６】第１の実施形態の粘着シートの使用方法の一例を説明する上面図である。
【図７】第１，２の実施形態の粘着シートの使用方法の一例を説明する断面図である。
【図８】第１，２の実施形態の粘着シートの使用方法の一例を説明する断面図である。
【図９】第１，２，４，５の実施形態の粘着シートの使用方法の一例を説明する上面図である。
【図１０】第１，２，４，５の実施形態の粘着シートの使用方法の一例を説明する断面図である。
【図１１】第１，２，４，５の実施形態の粘着シートの使用方法の一例を説明する上面図である。
【図１２】第１，２，４，５の実施形態の粘着シートの使用方法の一例を説明する断面図である。
【図１３】第１の実施形態の粘着シートの製造方法の一例を説明する断面図である。
【図１４】第１の実施形態の粘着シートの製造方法の一例を説明する断面図である。
【図１５】第１の実施形態の粘着シートの製造方法の一例を説明する断面図である。
【図１６】本発明の粘着シートの第２の実施形態を示す上面図である。
【図１７】第２の実施形態の粘着シートの使用方法の一例を説明する上面図である。
【図１８】第２の実施形態の粘着シートの使用方法の一例を説明する上面図である。
【図１９】第２の実施形態の粘着シートの使用方法の一例を説明する上面図である。
【図２０】第２の実施形態の粘着シートの使用方法の一例を説明する上面図である。
【図２１】本発明の粘着シートの第３の実施形態を示す上面図である。
【図２２】図２１のIII−III’断面図である。
【図２３】第３の実施形態の粘着シートの使用方法の一例を説明する断面図である。
【図２４】第３の実施形態の粘着シートの使用方法の一例を説明する上面図である。
【図２５】第３の実施形態の粘着シートの使用方法の一例を説明する断面図である。
【図２６】第３の実施形態の粘着シートの使用方法の一例を説明する上面図である。
【図２７】第３の実施形態の粘着シートの使用方法の一例を説明する断面図である。
【図２８】第３の実施形態の粘着シートの使用方法の一例を説明する断面図である。
【図２９】第３の実施形態の粘着シートの使用方法の一例を説明する上面図である。
【図３０】第３の実施形態の粘着シートの使用方法の一例を説明する断面図である。
【図３１】第３の実施形態の粘着シートの使用方法の一例を説明する上面図である。
【図３２】第３の実施形態の粘着シートの使用方法の一例を説明する断面図である。
【図３３】本発明の粘着シートの第４の実施形態を示す上面図である。
【図３４】図３３のIV−IV’断面図である。
【図３５】第４の実施形態の粘着シートの使用方法の一例を説明する断面図である。
【図３６】第４の実施形態の粘着シートの使用方法の一例を説明する上面図である。
【図３７】第４の実施形態の粘着シートの使用方法の一例を説明する断面図である。
【図３８】第４の実施形態の粘着シートの使用方法の一例を説明する上面図である。
【図３９】第４の実施形態の粘着シートの使用方法の一例を説明する断面図である。
【図４０】第４の実施形態の粘着シートの使用方法の一例を説明する断面図である。
【図４１】本発明の粘着シートの第５の実施形態を示す上面図である。
【図４２】図４１のＶ−Ｖ’断面図である。
【図４３】第５の実施形態の粘着シートの使用方法の一例を説明する断面図である。
【図４４】第５の実施形態の粘着シートの使用方法の一例を説明する上面図である。
【図４５】第５の実施形態の粘着シートの使用方法の一例を説明する断面図である。
【図４６】第５の実施形態の粘着シートの使用方法の一例を説明する上面図である。
【図４７】第５の実施形態の粘着シートの使用方法の一例を説明する断面図である。
【図４８】第５の実施形態の粘着シートの使用方法の一例を説明する断面図である。
【図４９】本発明の粘着シートの第２の実施形態の変形例を示す上面図である。
【図５０】本発明の粘着シートの第３の実施形態の変形例を示す上面図である。
【図５１】第３の実施形態の粘着シートの使用方法の他の例における応募用チラシを説明する上面図である。
【図５２】第３の実施形態の粘着シートの使用方法の他の例を説明する上面図である。
【図５３】第３の実施形態の粘着シートの使用方法の他の例を説明する断面図である。
【図５４】第３の実施形態の粘着シートの使用方法の他の例を説明する上面図である。
【図５５】第３の実施形態の粘着シートの使用方法の他の例を説明する断面図である。
【図５６】第３の実施形態の粘着シートの使用方法の他の例を説明する断面図である。
【図５７】第３の実施形態の粘着シートの使用方法の他の例を説明する上面図である。
【図５８】第３の実施形態の粘着シートの使用方法の他の例を説明する断面図である。
【図５９】第３の実施形態の粘着シートの使用方法の他の例を説明する上面図である。
【図６０】第３の実施形態の粘着シートの使用方法の他の例を説明する断面図である。
【図６１】従来の粘着シートの一例を示す断面図である。
【符号の説明】
【００４２】
１，２，３，４，５  粘着シート
１ｂ，２ｂ，３ｂ，４ｂ，５ｂ  粘着シート本体
１０  基材
１１  擬似接着用支持体
１２  擬似接着シート
１２ａ，１２ｅ  第２の剥離部
１２ｂ，１２ｆ  第２の非剥離部
１２ｃ  表面用支持体
１２ｄ  擬似接着樹脂層
２０  粘着剤層
２０ａ，２０ｂ，２０ｃ，２０ｄ  貼着部
３０  剥離体
３０ａ，３０ｃ，３０ｅ  ラベル部に重ならない部分
３０ｂ，３０ｄ，３０ｆ  ラベル部に重なる部分
３１，３３，３５，３７ａ，３７ｂ  第１の剥離部
３２，３４，３６，３８  第１の非剥離部
α１，α２，α３  ラベル部
β１，β２，β３  非ラベル部
Ａ１，Ａ２  隅角部
Ｃ１１１，Ｃ１１２，Ｃ１１３，Ｃ１１４，Ｃ１２１，Ｃ１２２，Ｃ１３１  第１の切り込み
Ｃ２１１，Ｃ２１２，Ｃ２１３，Ｃ２２１，Ｃ２２２，Ｃ２３１，Ｃ２４１，Ｃ２４２，Ｃ２４３，Ｃ２４４  第２の切り込み
Ｃ３１１，Ｃ３２１，Ｃ３２２，Ｃ３２３，Ｃ３２４  第３の切り込み
１００  往復はがき
１００ａ  往信用はがき
１００ｂ  返信用はがき
１１０  第１の個人情報
１２０  第２の個人情報
２００  応募用チラシ
２００ａ  応募用はがき領域
２００ｂ  粘着シート貼着用領域
２１０  くじの表示
２２０  個人情報
【図１】
0005165471.tif 000002
【図２】
0005165471.tif 000003
【図３】
0005165471.tif 000004
【図４】
0005165471.tif 000005
【図５】
0005165471.tif 000006
【図６】
0005165471.tif 000007
【図７】
0005165471.tif 000008
【図８】
0005165471.tif 000009
【図９】
0005165471.tif 000010
【図１０】
0005165471.tif 000011
【図１１】
0005165471.tif 000012
【図１２】
0005165471.tif 000013
【図１３】
0005165471.tif 000014
【図１４】
0005165471.tif 000015
【図１５】
0005165471.tif 000016
【図１６】
0005165471.tif 000017
【図１７】
0005165471.tif 000018
【図１８】
0005165471.tif 000019
【図１９】
0005165471.tif 000020
【図２０】
0005165471.tif 000021
【図２１】
0005165471.tif 000022
【図２２】
0005165471.tif 000023
【図２３】
0005165471.tif 000024
【図２４】
0005165471.tif 000025
【図２５】
0005165471.tif 000026
【図２６】
0005165471.tif 000027
【図２７】
0005165471.tif 000028
【図２８】
0005165471.tif 000029
【図２９】
0005165471.tif 000030
【図３０】
0005165471.tif 000031
【図３１】
0005165471.tif 000032
【図３２】
0005165471.tif 000033
【図３３】
0005165471.tif 000034
【図３４】
0005165471.tif 000035
【図３５】
0005165471.tif 000036
【図３６】
0005165471.tif 000037
【図３７】
0005165471.tif 000038
【図３８】
0005165471.tif 000039
【図３９】
0005165471.tif 000040
【図４０】
0005165471.tif 000041
【図４１】
0005165471.tif 000042
【図４２】
0005165471.tif 000043
【図４３】
0005165471.tif 000044
【図４４】
0005165471.tif 000045
【図４５】
0005165471.tif 000046
【図４６】
0005165471.tif 000047
【図４７】
0005165471.tif 000048
【図４８】
0005165471.tif 000049
【図４９】
0005165471.tif 000050
【図５０】
0005165471.tif 000051
【図５１】
0005165471.tif 000052
【図５２】
0005165471.tif 000053
【図５３】
0005165471.tif 000054
【図５４】
0005165471.tif 000055
【図５５】
0005165471.tif 000056
【図５６】
0005165471.tif 000057
【図５７】
0005165471.tif 000058
【図５８】
0005165471.tif 000059
【図５９】
0005165471.tif 000060
【図６０】
0005165471.tif 000061
【図６１】
0005165471.tif 000062